(57)【要約】  貯蔵容器用容器蓋に関する。貯蔵容器の一側に形成されて貯蔵物が入出される開口部を開閉するための貯蔵容器用容器蓋において、上記開口部上部を覆う板状のカバー部と、上記カバー部の端に沿って上記カバー部の厚さ方向に延長形成され、弾性材質を含んで弾力的に伸びながら上記開口部の開放時には上記カバー部の上部に開かれ、密閉時には上記カバー部の下部に開かれて上記開口部の外側縁部を包み込んで蜜閉するフレキシブル（Ｆｌｅｘｉｂｌｅ）の枠とを含む。これによって、開閉動作が単純で使用が便利であり、繰り返される開閉動作にも気密な結合力を維持することができる。
2009502689.tif 000002
【特許請求の範囲】
【請求項１】
貯蔵容器の一側に形成されて貯蔵物が入出される開口部を開閉するための貯蔵容器用容器蓋において、
前記開口部上部を覆う板状のカバー部と、
前記カバー部の端に沿って前記カバー部の厚さ方向に延長形成され、弾性材質を含んで弾力的に伸ばされて前記開口部の開放時には前記カバー部の上部に開かれ、密閉時には前記カバー部の下部に閉じられて前記開口部の外側縁部を包み込みながら蜜閉するフレキシブル（Ｆｌｅｘｉｂｌｅ）の枠とを含むことを特徴とする貯蔵容器用容器蓋。
【請求項２】
前記カバー部は、前記貯蔵容器に向けて突出された複数の安着突起をさらに含み、前記安着突起は前記フレキシブルの枠から前記貯蔵容器の側壁厚さ以上に離隔されて前記カバー部が前記開口部の正位置に安着されるようにガイドすることを特徴とする請求項１に記載の貯蔵容器用容器蓋。
【請求項３】
前記複数の安着突起は、相互連結されてリング状からなることを特徴とする請求項２に記載の貯蔵容器用容器蓋。
【請求項４】
前記安着突起またはフレキシブルの枠のうち１つ以上には、前記貯蔵容器の側壁を向けて突出されて前記側壁に接触されることで密閉性を増加させる１つ以上の気密突起がさらに形成されることを特徴とする請求項２または請求項３に記載の貯蔵容器用容器蓋。
【請求項５】
前記フレキシブルの枠は、弾力性を有するシリコーン材質からなることを特徴とする請求項１に記載の貯蔵容器用容器蓋。
【請求項６】
前記カバー部及びフレキシブルの枠は、弾力性を有するシリコーン材質からなり、前記カバー部には前記フレキシブルの枠が開かれる時に前記カバー部が本来の形状を維持させる補強部がさらに備えられることを特徴とする請求項１に記載の貯蔵容器用容器蓋。
【請求項７】
前記補強部は、前記カバー部の端に隣接して前記カバー部の内部に埋立される補強リングを有することを特徴とする請求項６に記載の貯蔵容器用容器蓋。
【請求項８】
前記補強部は、前記貯蔵容器に向けて突出されるように備えられ、前記フレキシブルの枠から前記貯蔵容器の側壁厚さ以上に離隔されて前記カバー部が前記開口部の正位置に安着されるようにガイドすることを特徴とする請求項７に記載の貯蔵容器用容器蓋。
【請求項９】
前記補強部またはフレキシブルの枠のうち１つ以上には、前記貯蔵容器の側壁を向けて突出されて前記側壁に接触されることで密閉性を増加させる１つ以上の気密突起が形成されることを特徴とする請求項８に記載の貯蔵容器用容器蓋。
【請求項１０】
前記側壁には、前記気密突起が収容及び解除される気密突起収容部が備えられ、
前記開口部の密閉時に前記気密突起が挟まれて前記貯蔵容器が前記容器蓋から離脱されることを防止することを特徴とする請求項９に記載の貯蔵容器用容器蓋。
【請求項１１】
前記気密突起は、プリーツ状に形成されることを特徴とする請求項９に記載の貯蔵容器用容器蓋。
【請求項１２】
前記カバー部は、前記開口部の密閉時に前記貯蔵容器の内外部に空気を流入及び排出するための１つ以上の通気部をさらに含むことを特徴とする請求項１に記載の貯蔵容器用容器蓋。
【請求項１３】
前記通気部は、外力が加えられる場合は開放されて前記貯蔵容器内部の空気を外部に排出し、外力が除去される場合は閉鎖されて前記保存容器内部への空気流入を遮断する通気孔を含むことを特徴とする請求項１２に記載の貯蔵容器用容器蓋。
【請求項１４】
前記フレキシブルの枠は、前記カバー部に連結される膜ヒンジの厚さ以上に形成されることを特徴とする請求項１に記載の貯蔵容器用容器蓋。
【発明の詳細な説明】
【発明の詳細な説明】
【０００１】
〔技術分野〕
本発明は、貯蔵容器用容器蓋に関し、より詳しくは、上下部の開き且つ単純な開閉動作によって使用が便利であり、繰り返される開閉動作にも気密な結合力を維持することができる貯蔵容器用容器蓋に関する。
【０００２】
〔背景技術〕
貯蔵物（例えば、食べ物等）を保管する貯蔵容器と貯蔵容器の開口部を開閉する容器蓋は、相互間に緊密に結合して維持されるようにすることで、貯蔵容器内部の貯蔵物を長期間に保管または新鮮さを維持するようにする。
【０００３】
最近、容器蓋と貯蔵容器との結合時、相互間の気密状態を向上させた様々な技術が紹介且つ適用されている。
【０００４】
例えば、ＬＯＣＫ＆ＬＯＣＫ（商品名）のように、容器蓋と貯蔵容器が緊密に結合されて気密状態が維持されることで、貯蔵物を保管する技術が適用されている。
【０００５】
このようなＬＯＣＫ＆ＬＯＣＫ及び類似の製品の場合、貯蔵容器と容器蓋を結合させるロック手段が用意されている。
【０００６】
上記ロック手段は、容器蓋の側面に折畳可能に備えられ、貯蔵容器の外側周り面に形成された結合突起と結合／解除される構造である。
【０００７】
しかし、このようなロック手段によって結合／解除される貯蔵容器と容器蓋は、貯蔵容器とロック手段の操作によって結合／解除される容器蓋の開閉動作（例えば、一手で貯蔵容器を持って他の一手で容器蓋を取って開閉するかまたは貯蔵容器と結合された容器蓋のいずれの一側を結合／解除した後、それぞれ他の結合部位で複数回にわたって同じ動作を繰り返して開閉しなければならない）が非常に煩わしくて使用に不便な問題点があった。
【０００８】
また、容器蓋に一体に形成されて折畳するロック手段が複数回にわたって繰り返される折畳動作によって破れたり、または長期間使用時に貯蔵容器と容器蓋の間が緩くなって気密状態が初期の気密状態に比べて著しく低下される問題点があった。
【０００９】
尚、フレキシブルなゴムまたは合成樹脂材質からなる容器蓋は、大体に厚さが薄くて本来の形状の変形しやすく、よく歪む問題点があった。
【００１０】
また、従来の貯蔵容器蓋は、加熱消毒時に熱に弱くて（例えば、攝氏５０℃以上の熱が加えられる場合に形体の変形が発生）消毒のための加熱殺菌が不可能な問題点があった。
【００１１】
〔発明の開示〕
〔発明が解決しようとする課題〕
本発明は、従来の問題点を解決するためになされたものであって、その目的は、上下部の開きによる単純な開閉動作によって使用が便利で、繰り返される開閉動作にも気密な結合力を維持することができる貯蔵容器用容器蓋を提供することにある。
【００１２】
また、容器蓋がフレキシブルなゴムまたは合成樹脂材質からなる場合、補強部によって変形を防止することと共に歪みを防止することができる貯蔵容器用容器蓋を提供することにある。
【００１３】
〔課題を解決するための手段〕
上述の目的を達成するために本発明による貯蔵容器２００用の容器蓋１００は、貯蔵容器２００の一側に形成されて貯蔵物が入出される開口部２１０を開閉するための貯蔵容器２００用の容器蓋１００において、開口部２１０の上部を覆う板状のカバー部１１０と、カバー部１１０の端に沿ってカバー部１１０の厚さ方向に延長形成され、弾性材質を含んで弾力的に伸びながら開口部２１０の開放時にはカバー部１１０の上部に開かれ、密閉時にはカバー部１１０の下部に開かれて開口部２１０の外側縁部を包み込んで蜜閉するフレキシブル（Ｆｌｅｘｉｂｌｅ）の枠１４０とを含む。
【００１４】
カバー部１１０は、貯蔵容器２００に向けて突出された複数の安着突起１１１をさらに含み、安着突起１１１はフレキシブルの枠１４０から貯蔵容器２００の側壁厚さ（ｔ１）以上に離隔されてカバー部１１０が開口部２１０の正位置に安着されるようにガイドすることができる。
【００１５】
ここで、複数の安着突起１１１は、相互連結されてリング状に形成されることを特徴とする。
【００１６】
安着突起１１１またはフレキシブルの枠１４０のうち１つ以上には、貯蔵容器２００の側壁２１４を向けて突出されて側壁２１４に接触されることで、密閉性を増加させる１つ以上の気密突起１４２ａがさらに形成されることを特徴とする。
【００１７】
ここで、気密突起１４２ａは、プリーツ状の気密突起１４２ｂで形成でき、プリーツ状の気密突起１４２ｂと突起形状の気密突起１４２ｃが共に形成されるかまたは突起形状の気密突起１４２ｄが別に形成されることも可能である。
【００１８】
気密突起１４２ｅは、突起状に形成され、カバー部１１０の両面使用に対応して１つ以上にフレキシブルの枠１４０の両側に選択的に形成されることを特徴とする。
【００１９】
フレキシブルの枠１４０は、弾力性を有するシリコーン材質からなることを特徴とする。
【００２０】
また、カバー部１１０及びフレキシブルの枠１４０は、弾力性を有するシリコーン材質からなり、カバー部１１０にはフレキシブルの枠１４０が開かれる時にカバー部１１０が本来の形状を維持するようにする補強部１２０がさらに備えられることを特徴とする。
【００２１】
補強部１２０は、カバー部１１０の端に隣接してカバー部１１０の内部に埋立される補強リング１２１を有することができる。
【００２２】
補強部１２０は、貯蔵容器２００に向けて突出されるように形成され、フレキシブルの枠１４０から貯蔵容器２００の側壁厚さの以上に離隔されてカバー部１１０が開口部２１０の正位置に安着されるようにガイドすることができる。
【００２３】
また、補強部１２０またはフレキシブルの枠１４０のうち１つ以上には、貯蔵容器２００の側壁２１４を向けて突出されて側壁２１４に接触されることで、密閉性を増加させる１つ以上の気密突起１４２ａ、１４２ｆが形成されることを特徴とする。
【００２４】
側壁２１４には、気密突起１４２ｃが収容及び解除される気密突起収容部２１２が備えられ、開口部２１０の密閉時に気密突起１４２ｃが挟まれて貯蔵容器２００が容器蓋１００から離脱されることを防止することができる。
【００２５】
気密突起１４２ａは、プリーツ状に形成されることを特徴とする。
【００２６】
カバー部１１０は、開口部２１０の密閉時に貯蔵容器２００の内外部に空気を流入及び排出するための１つ以上の通気部１５０をさらに含むことができる。
【００２７】
通気部１５０は、外力が加えられる場合に開放されて貯蔵容器２００内部の空気を外部に排出し、外力が除去される場合に閉鎖されて貯蔵容器２００内部への空気流入を遮断する通気孔１５２を含むことができる。
【００２８】
フレキシブルの枠１４０は、カバー部１１０に連結される膜ヒンジ１３０の厚さ以上に形成されることを特徴とする。
【００２９】
〔発明の効果〕
上述の構造を有する本発明による貯蔵容器用容器蓋によれば、ワンタッチ方式の上下部の開きによる単純な開閉動作によって使用が便利で、繰り返される開閉動作にも気密な結合力を維持することができる。
【００３０】
また、容器蓋がフレキシブルなゴムまたは合成樹脂材質からなる場合、補強部によって変形を防止することと共に歪みを防止することができる。
【００３１】
また、フレキシブルなシリコーン材質の容器蓋によって長期間使用時にも使用初期と同一な結合力及び気密力を維持させることができる。
【００３２】
また、カバー部の周り面に一体に形成されたフレキシブルの枠の内／外側が同一な構造と機能を有するように形成され、容器蓋の上／下側の区分なしに両面を用いることができる。
【００３３】
また、容器蓋を開放させない状態において、貯蔵容器内部の空気または熱気を外部に排出できるようにして貯蔵容器に保管された食べ物などの新鮮度を維持することができる。
【００３４】
〔発明を実施するための最良の形態〕
以下、本発明の好ましい実施形態について図面に基づいて説明する。
【００３５】
図１は、本発明の一実施形態による貯蔵容器用容器蓋を示した斜視図である。
【００３６】
図面を参照すれば、本発明の一実施形態による貯蔵容器（２００、図９参照）用の容器蓋１００は、貯蔵容器２００の一側に形成されて貯蔵物が入出される開口部２１０を開閉するための貯蔵容器２００用の容器蓋１００において、開口部２１０の上部を覆う板状のカバー部１１０と、カバー部１１０の端に沿ってカバー部１１０の厚さ方向に延長形成され、弾性材質を含んで弾力的に伸びながら開口部２１０の開放時にはカバー部１１０の上部に開かれ、密閉時にはカバー部１１０の下部に開かれて開口部２１０の外側縁部を包み込んで蜜閉するフレキシブル（Ｆｌｅｘｉｂｌｅ）の枠１４０とを含む。
【００３７】
ここで、貯蔵容器２００は、貯蔵物（例えば、食べ物など）の保管（例えば、貯蔵物を入れて冷蔵庫、室内または室外で保管）するために用いられる。
【００３８】
貯蔵容器２００は、一側に貯蔵物を入れたりまたは取り出すための開口部２１０が備えられる。
【００３９】
貯蔵容器２００の側壁２１４には、図１５に示すように、容器蓋１００を結合させるための気密突起収容部２１２が備えられる。
【００４０】
図２は、本発明の一実施形態による硬い材質のカバー部１１０が備えられた容器蓋１００を示した断面図である。
【００４１】
図面を参照すれば、容器蓋１００は貯蔵容器２００の一側に形成されて貯蔵物が入出される開口部２１０を開閉するために備えられる。
【００４２】
容器蓋１００は、開口部２１０の上部を覆うカバー部１１０と、カバー部１１０の上／下部に開かれて開口部２１０を開閉するフレキシブルの枠１４０とを含むことができる。
【００４３】
ここで、カバー部１１０は、様々な形状に形成でき、例えば、貯蔵容器２００が四角ボックス型または円筒型などに形成される場合、貯蔵容器２００の開口部２１０と対応して四角形または円型に形成される。
【００４４】
カバー部１１０は、様々な材質に形成でき、例えば、フレキシブルの枠１４０と別にカバー部１１０の全体が硬い材質に形成されるかまたはフレキシブルの枠と同一なフレキシブルな材質（例えば、シリコーン材質）に形成されることもできる。
【００４５】
カバー部１１０が硬い材質に形成される場合、カバー部１１０の厚さは１ｍｍないし３ｍｍに形成でき、好ましくは、本来の形状を維持するかまたは使用者が手で取る場合に好適なグリップ感を持つように２ｍｍ程度に形成することができる。
【００４６】
カバー部１１０には、図２に示すように、貯蔵容器２００に向けて突出され、容器蓋１００を貯蔵容器２００に覆って結合するときにカバー部１１０が開口部２１０の正位置に安着されるようにガイドする安着突起１１１が備えられる。
【００４７】
安着突起１１１は、貯蔵容器２００の側壁２１４が容易に結合できるようにフレキシブルの枠１４０から貯蔵容器２００の側壁の厚さ（図２の’ｔ１’参照）以上に離隔して備えられることが好ましい。
【００４８】
安着突起１１１は、様々な形状に形成でき、例えば、四角形の突起または円筒状の突起などに形成できる。
【００４９】
安着突起１１１は、相互連結されてリング状に形成されるかまたは分割配置されるように複数個に形成される。
【００５０】
安着突起１１１は、硬い材質のカバー部１１０と一体型に形成でき、別に形成されてカバー部１１０に付着することもできる。
【００５１】
安着突起１１１には、図５に示すように、貯蔵容器２００の側壁２１４を向けて突出されて側壁２１４に接触されることで、密閉性を増加させる１つ以上の気密突起１４２ａが形成される。
【００５２】
気密突起１４２ａは、様々な形状に形成でき、例えば、図６に示すようにプリーツ状の気密突起１４２ｂに形成でき、図７に示すようにプリーツ状の気密突起１４２ｂと突起形状の気密突起１４２ｃが共に形成されるかまたは図８に示すように突起形状の気密突起１４２ｄが別に形成されることもできる。
【００５３】
気密突起１４２ｂがプリーツ状に形成される場合、プリーツ部位が貯蔵容器２００の側壁２１４の外側縁部と相接して伸びながら弾力性が向上されて密閉力を増加させることができる。
【００５４】
気密突起１４２ｃが突起形状に形成される場合、図１５に示すように、貯蔵容器２００の側壁に形成される気密突起収容部２１２に対応する形状に形成できる。
【００５５】
この場合、貯蔵容器２００と容器蓋１００が結合される過程で、気密突起１４２ｃは気密突起収容部２１２に挟まれて開口部２１０の密閉時に貯蔵容器２００が容器蓋１１０から離脱されることを防止する役割を有する。
【００５６】
気密突起１４２ａ、１４２ｂ、１４２ｃ、１４２ｄは、貯蔵容器２００の側壁２１４の内外側の縁部と気密に密着されて貯蔵容器２００の傾け、振動または外部の衝撃などが発生する場合、貯蔵容器２００と結合される容器蓋１００の間に発生することができる隙間に貯蔵物が流出されることを防止することができる。
【００５７】
気密突起１４２ａ、１４２ｂ、１４２ｃ、１４２ｄは、フレキシブルの枠１４０に相互連結されるラウンド状に形成されるかまたはそれぞれ分割されて形成される。
【００５８】
気密突起１４２ｅは、突起形状に形成され、図１４に示すようにカバー部１１０の両面使用に対応して１つ以上にフレキシブルの枠１４０の両側に選択的に形成される。
【００５９】
通気部１５０は、図３及び図４に示すように、カバー部１１０に形成され、開口部２１０の密閉時に貯蔵容器２００の内外部に空気を流入及び排出するように形成される。
【００６０】
通気部１５０は、例えば、カバー部１１０の中央部の上／下面に突出されるように形成される突出段差１５１と、突出段差１５１に貫通するように形成される通気孔１５２とを含むことができる。
【００６１】
ここで、突出段差１５１は、中央部を基準に両端部の上下幅が徐々に小さくなるように形成される。
【００６２】
通気孔１５２は、様々な形状に形成でき、例えば、図３と図４に示されたＡ−Ａ’線の断面及びＢ−Ｂ’線の断面のように一字ドライバーの断面に対応する形状に形成される。
【００６３】
カバー部１１０がフレキシブルな材質からなる場合、図３に示すように、カバー部１１０に補強部１２０を備えてフレキシブルの枠１４０が開かれる場合にカバー部１１０の本来の形状を維持することができる。
【００６４】
カバー部１１０がフレキシブルな材質からなる場合、カバー部１１０の厚さは１ｍｍないし３ｍｍに形成でき、好ましくは、破れを防止するかまたは使用者が手で取る場合に好適なグリップ感を持つように２ｍｍ程度に形成される。
【００６５】
補強部１２０は、上述した安着突起１１１のような機能を遂行することもでき、補強部１２０はフレキシブルの枠１４０から貯蔵容器２００の側壁厚さ（図３の’ｔ１’参照）以上に形成され、貯蔵容器２００に向けて所定長さ以上に突出形成される。
【００６６】
補強部１２０は、フレキシブルの枠１４０が上下部に開かれるとき、補強リング１２１が備えられた位置からさらにカバー部１１０が開かれることを遮断してカバー部１１０の変形（例えば、カバー部が凹状に折れる）を防止する。
【００６７】
補強部１２０には、貯蔵容器２００の側壁２１４を向けて突出して接触されることで、密閉性を増加させる１つ以上の気密突起１４２ａ、１４２ｆが形成される。
【００６８】
気密突起１４２ａ、１４２ｆは、突起形状またはプリーツ状などの様々に形成される。
【００６９】
気密突起１４２ａ、１４２ｆは、上述した気密突起１４２ｂ、１４２ｃ、１４２ｄ、１４２ｅのような役割を有する。
【００７０】
補強部１２０は、カバー部１１０の端に隣接して埋立される補強リング１２１と、補強リング１２１を包んで保護する保護板１２２に形成される。
【００７１】
ここで、補強リング１２１は、様々な形状に形成でき、例えば、図６に示すように断面が中央に空間を有する管状に形成されることもでき、図７及び図８に示すように棒状に形成されることもできる。この場合、補強リング１２１の断面は四角形または円型などに限定されず形成できる。
【００７２】
補強リング１２１は、様々な材質に形成でき、例えば、金属または硬度が大きい合成樹脂材質からなることもできる。
【００７３】
補強リング１２１は、カバー部１１０と同一な材質に形成でき、お互いに異なる材質からなることができることは勿論である。
【００７４】
フレキシブルの枠１４０は、カバー部１１０の厚さ方向に延長形成されるが、弾性材質を含んで弾力的に伸びながら開口部２１０の開放時にはカバー部１１０の上部に開かれ、密閉時にはカバー部１１０の下部に開かれて開口部２１０の外側縁部を包み込んで蜜閉する。
【００７５】
フレキシブルの枠１４０は、様々な形状に形成でき、例えば、図２に示すように側壁２１４の外側縁部と相接する一面が平らな形状（例えば、一字状）に形成されるか、図３に示すように所定面積で同一な厚さ（図３の’ｔ３’参照）に形成されるかまたは、図５に示すようにカバー部１１０側から厚くなる形状（例えば、端部がバット形状に形成される）に形成される。
【００７６】
フレキシブルの枠１４０は、様々な厚さを有することができ、好ましくは、カバー部１１０と連結される膜ヒンジ１３０の厚さ（図３の’ｔ２ ’参照）以上に形成される。
【００７７】
例えば、フレキシブルの枠１４０の中央部の厚さは、３．５ｍｍないし５ｍｍに形成でき、貯蔵容器２００の外側縁部と接触されるときに結合力が最適化されることができるように４．２ｍｍ程度に形成することが好ましい。
【００７８】
この場合、フレキシブルの枠１４０が上下部に開かれるとき、折れが膜ヒンジ１３０に集中されるようにでき、貯蔵容器２００と容器蓋１００が結合されて密閉された状態での密閉力が増加する。
【００７９】
フレキシブルの枠１４０は、弾性材質の特性によって内側を向けて収縮する形態をなすようになるので、カバー部１１０の外径より小さな直径を維持することができる。
【００８０】
フレキシブルの枠１４０は、カバー部１１０を中心に上／下側の区分なしにいずれの一側に開かれて使用することができる。
【００８１】
フレキシブルの枠１４０は、図９に示すように、貯蔵容器２００に貯蔵物を入れるかまたは取り出すために貯蔵容器２００から結合が解除された場合には、弾力的に伸びながら貯蔵容器２００の反対方向に開かれる状態を維持する。
【００８２】
フレキシブルの枠１４０は、図１０に示すように、貯蔵容器２００に貯蔵物を入れた状態または貯蔵容器２００から貯蔵物を取り出した状態で貯蔵容器２００と結合される場合には、弾力的に伸びながら貯蔵容器２００側に開かれて開口部２１０の外側縁部を包み込んで蜜閉するようになる。
【００８３】
フレキシブルの枠１４０には、貯蔵容器２００の側壁２１４の外側縁部と接触されることで、密閉性を増加させる１つ以上の気密突起１４２ａ、１４２ｂ、１４２ｃ、１４２ｄ、１４２ｅが形成される。
【００８４】
気密突起１４２ａ、１４２ｂ、１４２ｃ、１４２ｄ、１４２ｅは、上述した気密突起のような役割を有する。
【００８５】
膜ヒンジ１３０は、カバー部１１０とフレキシブルの枠１４０を相互連結して一体型をなすように形成される。
【００８６】
膜ヒンジ１３０は、カバー部１１０の周り面に形成され、膜ヒンジ１３０の外側表面は傾斜面１３１に形成される。
【００８７】
膜ヒンジ１３０の傾斜面１３１は、４０゜ないし５０゜の下向傾斜角度を有するように形成でき、傾斜面１３１の角度が４０゜より小さい場合、膜ヒンジ１３０の厚さが薄くて使用寿命が短縮されることを防止するかまたは５０゜より大きい場合、膜ヒンジ１３０の厚さが厚くなってフレキシブルの枠１４０をカバー部１１０の上部に開くときに過度な力を加えるようになることを防止するように４５゜程度に形成されることが好ましい。
【００８８】
膜ヒンジ１３０の厚さは、０．７ｍｍないし１．５ｍｍに形成でき、フレキシブルの枠１４０の上下部の開きが容易になるように１．１ｍｍ程度の厚さに形成されることが一番好ましい。
【００８９】
以下、本発明による容器蓋１００を貯蔵容器２００と結合される過程を説明する。
【００９０】
図９は、本発明の一実施形態による貯蔵容器２００と容器蓋１００が結合される前の状態を示した断面図である。
【００９１】
フレキシブルの枠１４０は、貯蔵容器２００と容器蓋１００が結合される前には、貯蔵容器２００の反対方向（即ち、カバー部１１０の上部）に開かれた状態にある。
【００９２】
この状態において、フレキシブルの枠１４０は貯蔵容器２００に貯蔵物を入れた状態または取り出しが完了された場合、貯蔵容器２００の開口部２１０にカバー部１１０を上げて安着させるようになる。
【００９３】
以後、フレキシブルの枠１４０が下部に向けるように裏返して開いたら、図１０に示すようにフレキシブルの枠１４０は貯蔵容器２００の開口部２１０の外側縁部を包み込んで密閉させた状態になる。
【００９４】
ここで、気密突起１４２ａ、１４２ｂ、１４２ｃ、１４２ｄ、１４２ｅが安着突起１１１、補強部１２０またはフレキシブルの枠１４０のうち１つ以上に形成される場合には貯蔵容器２００と容器蓋１００の結合力が増大される一方、密閉力も増加するようになる。
【００９５】
貯蔵容器２００と容器蓋１００の結合が完了される場合、図１１に示すように、貯蔵容器２００の内部空気の圧力または高温の食べ物から発生する熱気によって膨脹される空圧の影響でカバー部１１０の中央部が貯蔵容器２００の反対方向に突出される。
【００９６】
このとき、貯蔵容器２００の内部空気または膨脹された空気を貯蔵容器２００の外部に排出させようとする場合、図１２に示すように貯蔵容器２００側に（矢印‘ｂ’方向）通気部１５０の突出段差１５１を押すようになる。
【００９７】
突出段差１５１が押される場合、カバー部１１０の中央部が貯蔵容器２００側に凹状に押されて変形されながら通気孔１５２が開放されて貯蔵容器２００の内部空気または膨脹された空気が貯蔵容器２００の外部に排出される。
【００９８】
貯蔵容器２００の内部の空気または熱気が外部に排出された後、突出段差１５１への押すことを解除すれば、カバー部１１０は本来の形状に復帰される。
【００９９】
一方、貯蔵物を取り出すかまたは入れるために貯蔵容器２００から容器蓋１００の結合を解除する場合、図１３に示すように、使用者の指などによってワンタッチ方式等でフレキシブルの枠１４０の一部分のみを持ち上げれば（矢印‘ａ’方向）、フレキシブルの枠１４０の全体がカバー部１１０の上部に開かれるようになる。
【０１００】
このように、結合が解除されたカバー部１１０を貯蔵容器２００の開口部２１０から離脱させ、貯蔵容器２００に貯蔵物を入れるかまたは貯蔵容器２００に入れられた貯蔵物を外部に取り出すことができる。
【０１０１】
以上、本発明は、上述した特定の好適な実施例に限定されるものではなく、特許請求範囲から請求する本発明の基本概念に基づき、当該技術分野における通常の知識を有する者であれば、様々な実施変形が可能であり、そのような変形は本発明の特許請求範囲に属するものである。
【図面の簡単な説明】
【０１０２】
【図１】本発明の一実施形態による容器蓋を示した斜視図。
【図２】本発明の一実施形態による硬い材質のカバー部が備えられた容器蓋を示した断面図。
【図３】図１のＡ−Ａ’線の断面図。
【図４】図１のＢ−Ｂ’線の断面図。
【図５】本発明の他の実施形態による補強部が備えられた容器蓋を示した断面図。
【図６】本発明の一実施形態による気密突起及び補強リングを示した断面図。
【図７】本発明による気密突起及び補強リングの他の実施形態を示した断面図。
【図８】本発明による気密突起及び補強リングの他の実施形態を示した断面図。
【図９】本発明の一実施形態による貯蔵容器と容器蓋が結合される前の状態を示した断面図。
【図１０】図９の貯蔵容器と容器蓋が結合された状態を示した断面図。
【図１１】本発明の一実施形態によるカバー部が内部空気または熱気によって通気部側が突出された状態を示した断面図。
【図１２】本発明の一実施形態による貯蔵容器の内部空気が使用者の押すことによって外部に排出される状態を示した断面図。
【図１３】本発明の一実施形態によるフレキシブルの枠が開かれる状態を示した斜視図。
【図１４】本発明の他の実施形態による容器蓋を示した断面図。
【図１５】本発明の他の実施形態による容器蓋を示した断面図。
【図１】
2009502689.tif 000003
【図２】
2009502689.tif 000004
【図３】
2009502689.tif 000005
【図４】
2009502689.tif 000006
【図５】
2009502689.tif 000007
【図６】
2009502689.tif 000008
【図７】
2009502689.tif 000009
【図８】
2009502689.tif 000010
【図９】
2009502689.tif 000011
【図１０】
2009502689.tif 000012
【図１１】
2009502689.tif 000013
【図１２】
2009502689.tif 000014
【図１３】
2009502689.tif 000015
【図１４】
2009502689.tif 000016
【図１５】
2009502689.tif 000017
【国際調査報告】
2009502689.tif 000018
2009502689.tif 000019